(57)【要約】【課題】設置された情報機器の構造を大幅に改変することなく、携帯端末を用いて当該情報機器を簡易な方法で操作・制御することが可能な情報機器利用システムを提供する。【解決手段】本情報機器利用システムは、サーバと通信可能なように設置された情報機器を携帯端末で利用可能とする。ここで、情報機器は、機器発光部を用いて機器識別子を発信させる機器光センサ通信制御手段と、携帯端末による利用情報をサーバから受信させる機器ネットワーク通信制御手段と、利用情報を使用してサービスを実行させるサービス実行制御手段とを有し、携帯端末は、受信した機器識別子をサーバ宛てに送信させる端末ネットワーク通信制御手段を有し、サーバは、情報機器のアドレスと機器識別子との対応テーブルを管理する情報機器管理手段と、機器識別子に対応した情報機器のアドレス宛てに携帯端末による利用情報を送信させるサーバネットワーク通信制御手段とを有する。【選択図】図２
2015065566.tif 000002
【特許請求の範囲】
【請求項１】
サーバと通信可能なように設置された情報機器を、該サーバと通信可能な携帯端末で利用可能とする情報機器利用システムであって、当該情報機器は、
光信号を発信可能な機器発光部と、
前記機器発光部を用いて、当該情報機器を特定する機器識別子を発信させる機器光センサ通信制御手段と、
当該携帯端末による利用に係る情報を前記サーバから受信させる機器ネットワーク通信制御手段と、
受信した利用に係る情報を使用して当該携帯端末に係るサービスを実行させるサービス実行制御手段とを有し、当該携帯端末は、
光信号を受信可能な端末受光部と、
前記端末受光部を用いて、当該機器識別子を受信させる端末光センサ通信制御手段と、
受信した当該機器識別子を前記サーバ宛てに送信させる端末ネットワーク通信制御手段とを有し、前記サーバは、
当該情報機器のアドレスと機器識別子とを対応付けたテーブルを管理する情報機器管理手段と、
受信した機器識別子に対応付けられた情報機器のアドレス宛てに、当該機器識別子の送信元の携帯端末による利用に係る情報を送信させるサーバネットワーク通信制御手段と
を有することを特徴とする情報機器利用システム。
【請求項２】
前記サーバネットワーク通信制御手段は、受信した機器識別子の送信元の携帯端末宛てに、受信した機器識別子に対応付けられた情報機器を操作するための操作に係る情報を送信させ、
前記端末ネットワーク通信制御手段は、受信した操作に係る情報に基づいて設定された利用に係る情報を前記サーバ宛てに送信させる
ことを特徴とする請求項１に記載の情報機器利用システム。
【請求項３】
前記携帯端末は、光信号を発信可能な端末発光部を更に有しており、
前記端末光センサ通信制御手段は、前記発光部を用いて当該情報機器を利用するための利用要求を発信し、
前記情報機器は、光信号を受信可能な機器受光部と、自身の機器識別子を保持し管理する機器識別子管理手段とを更に有し、
前記機器光センサ通信制御手段は、前記機器受光部を用いて当該利用要求を受信した場合、当該利用要求の送信元の携帯端末に向けて、保持した当該機器識別子を前記機器発光部を用いて発信させる
ことを特徴とする請求項１又は２に記載の情報機器利用システム。
【請求項４】
前記サーバは、当該情報機器毎に機器識別子を割り当てる識別子割当手段を更に有し、
前記機器ネットワーク通信制御手段は、当該利用要求を受信した際、前記サーバ宛てに機器識別子の割り当てを要求するための識別子要求を送信し、
前記サーバネットワーク通信制御手段は、当該識別子要求を受信した際、前記識別子割当手段によって要求元の情報機器に割り当てられた機器識別子を、要求元の当該情報機器宛てに送信する
ことを特徴とする請求項３に記載の情報機器利用システム。
【請求項５】
前記機器光センサ通信制御手段は、当該情報機器を特定する時間を限定した機器識別子を発信させることを特徴とする請求項１から４のいずれか１項に記載の情報機器利用システム。
【請求項６】
前記端末ネットワーク通信制御手段は、複数の機器識別子を受信した際、前記端末受光部によって受信された前記機器発光部からの光信号に基づいて、当該複数の機器識別子のうちの少なくとも１つを選択して前記サーバ宛てに送信させることを特徴とする請求項１から５のいずれか１項に記載の情報機器利用システム。
【請求項７】
当該情報機器は、光信号を受信可能であって撮影を可能とする機器受光部を有するカメラであり、
前記機器ネットワーク通信制御手段は、当該携帯端末による利用に係る情報である撮影動作の制御に係る撮影動作制御情報を前記サーバから受信させ、
前記サービス実行制御手段は、受信した撮影動作制御情報を使用して撮影条件を設定し、前記機器受光部によって画像を撮影させ、
前記機器ネットワーク通信制御手段は、撮影した画像の情報を前記サーバ宛てに送信させる
ことを特徴とする請求項１から６のいずれか１項に記載の情報機器利用システム。
【請求項８】
前記サーバネットワーク通信制御手段は、受信した機器識別子の送信元の携帯端末宛てに、受信した機器識別子に対応付けられた当該カメラの操作に係る情報としての操作入力可能な操作ウェブ（Web）ページを送信させ、
前記端末ネットワーク通信制御手段は、受信した操作ウェブページに対する入力操作によって設定された撮影動作制御情報を前記サーバ宛てに送信させる
ことを特徴とする請求項７に記載の情報機器利用システム。
【請求項９】
前記携帯端末は、光信号を発信可能な端末発光部を更に有しており、
前記サーバネットワーク通信制御手段は、受信した機器識別子に対応付けられた当該カメラによって撮影された画像を取得し、受信した機器識別子の送信元の携帯端末宛てに当該画像の情報を送信させ、
前記端末ネットワーク通信制御手段は、受信した当該画像の情報に含まれる前記端末発光部の発光による情報に基づいて、当該撮影動作制御情報を生成する
ことを特徴とする請求項７又は８に記載の情報機器利用システム。
【請求項１０】
当該情報機器は情報を表示可能な表示部を有する電子看板であり、
前記機器ネットワーク通信制御手段は、当該携帯端末による利用に係る情報である当該電子看板に表示する表示情報を前記サーバから受信させ、
前記サービス実行制御手段は、受信した表示情報を前記表示部に表示させる
ことを特徴とする請求項１から６のいずれか１項に記載の情報機器利用システム。
【請求項１１】
サーバと通信可能なように設置された情報機器を、該サーバと通信可能な携帯端末で利用する情報機器利用方法であって、
光センサ通信を用いて、当該情報機器を特定する機器識別子を当該情報機器から発信する第１のステップと、
光センサ通信を用いて、当該機器識別子を当該携帯端末によって受信させる第２のステップと、
当該携帯端末によって、受信した当該機器識別子を前記サーバ宛てに送信させる第３のステップと、
受信した機器識別子に予め対応付けられた情報機器のアドレス宛てに、当該機器識別子の送信元の携帯端末による利用に係る情報を当該サーバから送信させる第４のステップと、
当該携帯端末による利用に係る情報を当該情報機器によって受信させる第５のステップと、
受信した利用に係る情報を使用して当該携帯端末に係るサービスを当該情報機器に実行させる第６のステップと
を有することを特徴とする情報機器利用方法。
【発明の詳細な説明】
【技術分野】
【０００１】
本発明は、リモートカメラやデジタルサイネージといった情報機器の制御技術に関する。
【背景技術】
【０００２】
デジタルカメラやカメラ付き携帯端末等の普及により、日常生活でカメラを使用する機会が増えている。特に、周辺の景色を背景にしつつユーザが自らを被写体とすることも多い。この場合、ユーザが単独で行動しているとそのような写真・映像は撮りづらい。一方、複数人で行動していれば互いに写真・映像を撮り合うこともできるが、それでも、自らを含み行動を共にしているグループ全体での写真を撮影することは困難である。
【０００３】
そこで、ユーザが所持するカメラ操作用の装置を用いてカメラを遠隔操作し、撮影する技術が提案されている。例えば、特許文献1は、撮影要求を発信したリモートカメラ操作装置に適した撮影画像を簡便に取得可能なリモートカメラ装置を開示している。この技術では、リモートカメラ操作装置とリモートカメラ装置との間で通信を行い、装置の識別情報及び撮影条件を含む撮影要求信号や撮影画像といった情報のやり取りを行う。
【０００４】
また、特許文献２には、遠隔監視機能付き携帯電話機のメール機能を利用して、カメラ付き携帯電話機を遠隔で制御・監視する遠隔監視システムが開示されている。遠隔監視機能付き携帯電話機が予め登録済みのメールアドレス宛てに所定のメールを送信すると、カメラ付き携帯電話機による撮影が実行される。
【先行技術文献】
【特許文献】
【０００５】
【特許文献１】特開２００７−１７３９９２号公報
【特許文献２】特開２０１１−９７５９８号公報
【発明の概要】
【発明が解決しようとする課題】
【０００６】
しかしながら、特許文献1に開示の技術では、リモートカメラ装置にBluetooth（登録商標）やIEEE802.11に代表される近距離無線通信等の通信機能を付与しなければならない。従って、既に多数設置されている監視カメラやリモートカメラ等の情報機器を現状のハードウェアの範囲でそのまま利用することが困難である。
【０００７】
さらに、特許文献２に開示の技術では、遠隔監視機能付き携帯電話機は、カメラ付き携帯電話機を操作・制御するために、カメラ付き携帯電話機を特定するメールアドレス及びキーワードを予め知っている必要がある。従って、操作・制御の可能なカメラ付き携帯電話機の範囲は大幅に限定されてしまう。例えば、特許文献２に開示の技術では、公共用に設置された監視カメラ等の利用は困難である。
【０００８】
また、ユーザへのサービスとして、現在多数設置されているデジタルサイネージ（電子看板）等の情報機器を、ユーザの所持する携帯端末をもって操作・制御可能にすることは、新たなサービス提供事業として有望と考えられる。例えば、観光地に設置されており観光案内情報を発信しているデジタルサイネージに、観光客としてのユーザが自ら撮影した写真やメッセージを投稿することができるサービスは魅力的である。しかしながら、以上に説明したような従来技術を用いたとしても、設置された情報機器を大幅に改造しなければ、携帯端末による操作・制御は困難である。
【０００９】
そこで、本発明は、設置された情報機器の構造を大幅に改変することなく、携帯端末を用いて当該情報機器を簡易な方法で操作・制御することが可能な情報機器利用システム及び方法を提供することを目的とする。
【課題を解決するための手段】
【００１０】
本発明によれば、サーバと通信可能なように設置された情報機器を、このサーバと通信可能な携帯端末で利用可能とする情報機器利用システムであって、上記情報機器は、
光信号を発信可能な機器発光部と、
機器発光部を用いて、情報機器を特定する機器識別子を発信させる機器光センサ通信制御手段と、
携帯端末による利用に係る情報をサーバから受信させる機器ネットワーク通信制御手段と、
受信した利用に係る情報を使用して携帯端末に係るサービスを実行させるサービス実行制御手段とを有し、上記携帯端末は、
光信号を受信可能な端末受光部と、
端末受光部を用いて、機器識別子を受信させる端末光センサ通信制御手段と、
受信した機器識別子をサーバ宛てに送信させる端末ネットワーク通信制御手段とを有し、上記サーバは、
情報機器のアドレスと機器識別子とを対応付けたテーブルを管理する情報機器管理手段と、
受信した機器識別子に対応付けられた情報機器のアドレス宛てに、機器識別子の送信元の携帯端末による利用に係る情報を送信させるサーバネットワーク通信制御手段と
を有する情報機器利用システムが提供される。
【００１１】
この情報機器利用システムにおいて、サーバネットワーク通信制御手段は、受信した機器識別子の送信元の携帯端末宛てに、受信した機器識別子に対応付けられた情報機器を操作するための操作に係る情報を送信させ、端末ネットワーク通信制御手段は、受信した操作に係る情報に基づいて設定された利用に係る情報を前記サーバ宛てに送信させることも好ましい。
【００１２】
さらに、本発明の一実施形態として、上記携帯端末は、光信号を発信可能な端末発光部を更に有しており、端末光センサ通信制御手段は、前記発光部を用いて当該情報機器を利用するための利用要求を発信し、上記情報機器は、光信号を受信可能な機器受光部と、自身の機器識別子を保持し管理する機器識別子管理手段とを更に有し、機器光センサ通信制御手段は、機器受光部を用いて利用要求を受信した場合、利用要求の送信元の携帯端末に向けて、保持した機器識別子を機器発光部を用いて発信させることも好ましい。
【００１３】
また、携帯端末が端末発光部を用いて利用要求を行う上記実施形態において、このサーバは、情報機器毎に機器識別子を割り当てる識別子割当手段を更に有し、機器ネットワーク通信制御手段は、利用要求を受信した際、サーバ宛てに機器識別子の割り当てを要求するための識別子要求を送信し、サーバネットワーク通信制御手段は、識別子要求を受信した際、識別子割当手段によって要求元の情報機器に割り当てられた機器識別子を、要求元の情報機器宛てに送信することも好ましい。
【００１４】
さらに、本発明の情報機器利用システムにおいて、機器光センサ通信制御手段は、情報機器を特定する期間を限定した機器識別子を発信させることも好ましい。また、端末ネットワーク通信制御手段は、複数の機器識別子を受信した際、端末受光部によって受信された機器発光部からの光信号に基づいて、複数の機器識別子のうちの少なくとも１つを選択してサーバ宛てに送信させることも好ましい。
【００１５】
また、本発明の他の実施形態として、上記情報機器は、光信号を受信可能であって撮影を可能とする機器受光部を有するカメラであり、機器ネットワーク通信制御手段は、携帯端末による利用に係る情報である撮影動作の制御に係る撮影動作制御情報をサーバから受信させ、サービス実行制御手段は、受信した撮影動作制御情報を使用して撮影条件を設定し、機器受光部によって画像を撮影させ、機器ネットワーク通信制御手段は、撮影した画像の情報を前記サーバ宛てに送信させることも好ましい。
【００１６】
また、カメラが情報機器である上述した実施形態において、サーバネットワーク通信制御手段は、受信した機器識別子の送信元の携帯端末宛てに、受信した機器識別子に対応付けられたカメラの操作に係る情報としての操作入力可能な操作ウェブ（Web）ページを送信させ、端末ネットワーク通信制御手段は、受信した操作ウェブページに対する入力操作によって設定された撮影動作制御情報をサーバ宛てに送信させることも好ましい。
【００１７】
さらに、カメラが情報機器である上述した実施形態において、上記携帯端末は、光信号を発信可能な端末発光部を更に有しており、サーバネットワーク通信制御手段は、受信した機器識別子に対応付けられたカメラによって撮影された画像を取得し、受信した機器識別子の送信元の携帯端末宛てに当該画像の情報を送信させ、端末ネットワーク通信制御手段は、受信した画像の情報に含まれる端末発光部の発光による情報に基づいて、撮影動作制御情報を生成することも好ましい。
【００１８】
さらに、本発明の他の実施形態として、上記情報機器は情報を表示可能な表示部を有する電子看板であり、機器ネットワーク通信制御手段は、携帯端末による利用に係る情報である電子看板に表示する表示情報をサーバから受信させ、サービス実行制御手段は、受信した表示情報を前記表示部に表示させることも好ましい。
【００１９】
本発明によれば、さらに、サーバと通信可能なように設置された情報機器を、このサーバと通信可能な携帯端末で利用する情報機器利用方法であって、
光センサ通信を用いて、情報機器を特定する機器識別子を情報機器から発信する第１のステップと、
光センサ通信を用いて、機器識別子を携帯端末によって受信させる第２のステップと、
携帯端末によって、受信した機器識別子をサーバ宛てに送信させる第３のステップと、
受信した機器識別子に予め対応付けられた情報機器のアドレス宛てに、機器識別子の送信元の携帯端末による利用に係る情報をサーバから送信させる第４のステップと、
携帯端末による利用に係る情報を情報機器によって受信させる第５のステップと、
受信した利用に係る情報を使用して携帯端末に係るサービスを情報機器に実行させる第６のステップとを有する情報機器利用方法が提供される。
【発明の効果】
【００２０】
本発明の情報機器利用システム及び方法によれば、設置された情報機器の構造を大幅に改変することなく、携帯端末を用いて当該情報機器を簡易な方法で操作・制御することができる。
【図面の簡単な説明】
【００２１】
【図１】本発明による情報機器利用システムの一実施形態を示す概略図である。
【図２】本発明の情報機器利用システムを構成するヘッドマウントディスプレイ、リモートカメラ及び制御サーバの一実施形態を示す機能構成図である。
【図３】情報機器管理テーブルの一実施形態を示す表である。
【図４】本発明による情報機器利用方法の一実施形態を示すシーケンス図である。
【図５】本発明による情報機器利用方法の他の実施形態を示すシーケンス図である。
【発明を実施するための形態】
【００２２】
以下、本発明の実施形態について、図面を用いて詳細に説明する。
【００２３】
［情報機器利用システム］
図１は、本発明による情報機器利用システムの一実施形態を示す概略図である。
【００２４】
図１に示した実施形態の情報機器利用システムは、
（ａ）制御サーバ３と、
（ｂ）制御サーバ３と通信可能なように設置された情報機器である１つ又は複数のリモートカメラ２と、
（ｃ）制御サーバ３と通信可能な携帯端末であるヘッドマウントディスプレイ（ＨＭＤ）１とを備えている。
【００２５】
このうち、ＨＭＤ１は、Ｗｉ-Ｆｉ（登録商標）等の無線ＬＡＮ（Local Area Network）、ＷｉＭＡＸ（Worldwide Interoperability for Microwave Access）、ＬＴＥ(Long Term Evolution)又は３Ｇ（3rd Generation）等の無線系アクセスネットワークを介し、インターネットを経由して制御サーバ３と通信接続可能となっている。また、リモートカメラ２も上述した無線系アクセスネットワークや、又は光ファイバ網若しくはＡＤＳＬ（Asymmetric Digital Subscriber Line）等の固定系アクセスネットワークを介し、インターネットを経由して制御サーバ３と通信接続可能となっている。
【００２６】
リモートカメラ２は、さらに、光信号を発信可能な機器発光部を備えており、この機器発光部を用いて、リモートカメラ２自体を特定する機器識別子であるカメラＩＤを発信する。一方、ＨＭＤ１は、光信号を受信可能な端末受光部である端末カメラ部を備えており、この端末カメラ部を用いてカメラＩＤを受信する。このように、リモートカメラ２とＨＭＤ１との間の信号のやり取りは近傍端末間通信の一種であるイメージセンサ通信（画像センサ通信）によるものとすることができる。この通信方式では、情報の送り手は光によって信号を発信し、情報の受け手は画像内に映る光を解析することで受信した信号を認識し理解する。
【００２７】
カメラＩＤを受信したＨＭＤ１は、ＨＭＤ１（を装着したユーザ）自体をリモートカメラ２に撮影させるため、カメラ制御要求を制御サーバ３宛てに送信する。ここで、ＨＭＤ１がカメラＩＤを受信した際、ＨＭＤ１のディスプレイにリモートカメラ２が利用可能である旨が表示され、ＨＭＤ１は、当該表示を視認したユーザによる撮影要求操作を受け付けてカメラ制御要求を送信してもよい。もしくはＨＭＤ１のディスプレイに、自らの近傍に位置するリモートカメラ２を探索するためのカメラ探索アイコンが表示され、このアイコンを操作することによって利用可能なリモートカメラ２が特定され、カメラ制御要求が送信されてもよい。尚、ＨＭＤ１は制御サーバ３のＵＲＬ（Uniform Resource Locator）を予め保持しており、リモートカメラ２の利用の際には一律に当該ＵＲＬを利用することも好ましい。
【００２８】
このカメラ制御要求は、ＨＭＤ１によって受信されたカメラＩＤを含み、制御対象のリモートカメラ２を特定する内容となっている。制御サーバ３は、受信したカメラＩＤの送信元であるＨＭＤ１宛てに、当該カメラＩＤに対応付けられたリモートカメラ２を操作するための操作情報を送信する。この操作情報は、操作入力可能な操作ウェブ（Web）ページとすることができる。
【００２９】
このように、ＨＭＤ１が、制御サーバ３に置かれたウェブページをブラウザにより閲覧する方式で操作情報にアクセスする場合、ＨＭＤ１に特別なアプリケーションをインストールする必要がない。即ち、この操作ウェブページのＵＲＬを１つ保持しているだけで、制御サーバ３に登録された何れのリモートカメラ２へもアクセスすることができる。それ故、例えば公共の場に多数設置された任意の監視カメラやリモートカメラを利用して撮影を行うことが可能となる。
【００３０】
操作情報を受信したＨＭＤ１は、受信した操作情報に基づいてユーザの操作により設定された利用情報としての撮影動作制御情報を、制御サーバ３宛てに送信する。この撮影動作制御情報は、例えばＨＭＤ１のディスプレイにブラウザによって表示された操作ウェブページに対するユーザによる入力操作に基づいて生成される。
【００３１】
ここで、制御サーバ３は、リモートカメラ２のアドレス（カメラアドレス）とカメラＩＤとを対応付けた情報機器管理テーブルを保持・管理している。上述した撮影動作制御情報を受信した制御サーバ３は、受信したカメラＩＤに対応付けられたリモートカメラ２のカメラアドレス宛てに、当該カメラＩＤの送信元のＨＭＤ１による撮影動作制御情報を送信する。リモートカメラ２は、受信した撮影動作制御情報を使用して、ＨＭＤ１に係るサービスである撮影条件の設定とＨＭＤ１を装着したユーザの撮影とを実行する。
【００３２】
その後、リモートカメラ２は、撮影した画像の情報を制御サーバ３宛てに送信する。尚、リモートカメラ２も制御サーバ３のアドレスを予め保持していることが好ましい。制御サーバ３は受信した撮影画像データをＨＭＤ１に送信し、ＨＭＤ１は、撮影を要求したリモートカメラ２による撮影画像を取得することができる。
【００３３】
尚、リモートカメラ２による撮影は、静止画、動画又はこれら両方を撮るものであってよい。また、リモートカメラ２は、マイクを備えていて周囲の音声を録音することができることも好ましい。この場合、ＨＭＤ１は、上述した撮影の要求と同様にしてリモートカメラ２に対し録音の要求を行う。
【００３４】
以上説明した情報機器利用システムでは、ＨＭＤ１はリモートカメラ２のカメラＩＤをイメージセンサ通信で取得することができる。これにより、ＨＭＤ１（を装着したユーザ）は、自らの近傍であって撮影に適した範囲内に位置するリモートカメラ２のみを特定して撮影要求の対象とすることができる。尚、ＨＭＤといった携帯端末や公共用に設置されたリモートカメラは、通常カメラ機能を備えているので、当該カメラ機能の受光部（イメージセンサ）で光信号が受信可能となる。また、特に赤外線リモートカメラならば、赤外線の発光部は通常設置されているのでイメージセンサ通信が容易に可能となる。
【００３５】
また、このイメージセンサ通信での通信速度に相当するフレームレートは、公共用の監視カメラの場合、例えば１〜３fps（frames per second）程度に設定されており、非常に低い。従って、イメージセンサ通信で例えば撮影した画像データを送受信することは現実的ではない。しかしながら、本情報機器利用システムでは、カメラＩＤといったデータサイズの小さなデータ等、互いの端末を認識し合う信号のみをイメージセンサ通信でやり取りするので、短時間で通信を実行でき、この低フレームレートの問題は回避される。
【００３６】
さらに、本情報機器利用システムでは、データサイズの大きな撮影動作制御情報や撮影画像データは、制御サーバ３を介したネットワーク通信をもって十分な通信速度でやり取りされる。その結果、ＨＭＤ１のような携帯端末を所持・装着したユーザは、リモートカメラ２のような情報機器によるサービスを十分に享受することができる。
【００３７】
また、リモートカメラ２に割り当てられるカメラＩＤには割り当ての有効時間が定められており、カメラＩＤは、有効時間が経過するとリモートカメラ２から制御サーバ３へ返却されることも好ましい。この有効時間は例えば５分に設定することができる。あるいはユーザのＨＭＤ１での操作によってリモート制御を終了された際、カメラＩＤがリモートカメラ２から制御サーバ３へ返却されてもよい。また、ＨＭＤ１が受信する操作ウェブページの表示有効時間が予め設定されていることも好ましい。
【００３８】
このように、本情報機器利用システムでは、ＨＭＤ１によるリモートカメラ２の操作・制御が、有効時間付きのカメラＩＤによって時間的に制限され、さらにカメラＩＤがイメージセンサ通信によってＨＭＤ１へ配布されるので空間的にも制限される。このように、リモートカメラ２の利用を時間的且つ空間的に制限することによって、ユーザによるリモートカメラ２の濫用を防止することができる。
【００３９】
以上、本発明の情報機器利用システムによれば、設置された情報機器の構造を大幅に改変することなく、携帯端末を用いて当該情報機器を簡易な方法で適切に操作・制御することが可能となる。
【００４０】
尚、本情報機器利用システムの携帯端末は、当然にＨＭＤに限定されるものではなく、ウェアラブル（wearable）デバイスに限定されるものでもない。スマートフォン、タブレット型コンピュータ、携帯電話機、ノート型ＰＣ（Personal Computer）等、ユーザが所持又は装着して移動可能な端末ならば、この携帯端末とすることができる。また、本情報機器利用システムの情報機器も、当然にリモートカメラに限定されるものではない。制御用のサーバと通信可能なように設置された端末ならば、この情報機器とすることができる。例えば、公共サービスの提供を目的としたデジタルサイネージ（電子看板）や公共監視機器、自動販売機、スマート家電等は本情報機器として利用可能となる。
【００４１】
また、制御サーバとして例えば多数の観客が集まる競技場に設置されたローカルサーバを使用することも可能である。この場合、このローカルサーバと競技場内に多数設置されたリモートカメラとを直接接続してもよい。観客は、所持・装着した携帯端末を用いてイメージセンサ通信でカメラＩＤを取得し、予め保持した共通のサーバアドレス宛てにアクセスすることにより、設置されたリモートカメラのうち所望のものを使用することができる。
【００４２】
図２は、本発明の情報機器利用システムを構成するＨＭＤ１、リモートカメラ２及び制御サーバ３の一実施形態を示す機能構成図である。
【００４３】
［ＨＭＤ１］
図２によれば、ＨＭＤ１は、端末受光部である端末カメラ部１０１と、端末発光部１０２と、通信インタフェース１０３と、ディスプレイ１０４と、操作器インタフェース１０５と、操作器１０６と、プロセッサ・メモリとを備えている。ここで、プロセッサ・メモリは、ＨＭＤ１に搭載されたコンピュータを機能させるプログラムを実行することによって、その機能を実現させる。
【００４４】
さらに、プロセッサ・メモリは、機能構成部として、端末光センサ通信制御部１１１と、端末ネットワーク通信制御部１１２と、入出力制御部１１３と、アプリケーション（ＡＰ）処理部１１４とを有する。
【００４５】
端末カメラ部１０１は、光信号を受信可能な端末受光部であって、ＣＣＤイメージセンサ、ＣＭＯＳイメージセンサ等の固体撮像素子を備えた撮影可能なカメラである。また、端末発光部１０２は、光信号を発信可能であり、ＬＥＤ（Light Emitting Diode）等の発光素子を備えた発光部である。端末カメラ部１０１及び端末発光部１０２を利用することによって、後述する機器カメラ部２０１及び機器発光部２０２との間でイメージセンサ通信を行うことができる。
【００４６】
ここで、固体撮像素子の感度領域及び発光素子の発光波長領域は、可視光（波長380nm〜780nm）又は近赤外線（波長780nm〜1100nm）の範囲と重畳することも好ましい。通常、デジタルカメラに使用されるＣＣＤ又はＣＭＯＳイメージセンサの感度領域は200nm〜1100nmであり、可視光又は近赤外線をイメージセンサで解析するイメージセンサ通信方式が比較的容易に適用可能となっている。例えば、従来設置されている赤外線での撮影が可能な赤外線監視カメラ等をリモートカメラ２として採用することができる。
【００４７】
可視光を用いてイメージセンサ通信を行う場合、発信源や通信経路が視認されるので、通信範囲がユーザの視覚で確認でき、直感的に理解しやすいという利点がある。一方、近赤外線を用いた通信は、人の視覚に影響を与えずに送受信することが可能となる。それ故、例えばＨＭＤ１から光信号を発信した場合にもユーザの視界がこの光信号により遮られることがない。また、ＨＭＤ１から撮影要求を出していることを周囲の人に知られないようにすることもできる。
【００４８】
通信インタフェース１０３は、アクセスネットワーク及びインターネットを介した制御サーバ３との通信におけるインタフェースである。ディスプレイ１０４は、ＨＭＤ１を装着したユーザの眼前に設置されており、例えば、受信したカメラＩＤに対応したリモートカメラ２が利用可能である旨を表示したり、制御サーバ３から受信した操作ウェブページを表示したりすることができる。
【００４９】
ここで、ディスプレイ１０４に表示された操作ウェブページには、例えばリモートカメラ２で撮影された現在の映像が表示されてもよい。また、この映像中でのＨＭＤ１自体の位置が指し示されてもよい。映像中のＨＭＤ１自体の位置は、当該映像中での端末発光部１０２による発光点を特定することによって指し示すことができる。また、ＨＭＤ１を装着したユーザは、表示される操作ウェブページ中のカメラ映像を閲覧し、レンズのズームや焦点を調整してもよい。ＨＭＤ１が端末発光部１０２によって発光すればカメラ映像内でＨＭＤ１（を装着したユーザ）がどのあたりに映っているのかが分かるので、カメラはＨＭＤ１（を装着したユーザ）に焦点を当ててズームやピントを合わせることが可能となる。
【００５０】
また、表示された操作ウェブページには、カメラＩＤを取得した複数のリモートカメラ２が列挙されていて、そのうちで利用を希望するものを選択するための選択アイコン等が設けられていてもよい。
【００５１】
操作器インタフェース１０５は、ユーザによる入力操作を受け付ける操作器１０６との通信におけるインタフェースであり、例えばＷｉ-Ｆｉ（登録商標）等の無線ＬＡＮ（Local Area Network）、又はBluetooth（登録商標）等の近距離無線通信に対応している。操作器１０６は、例えばタッチパネル、タッチパッド又は物理的キーを備え、ユーザの指による入力操作を可能とするものであってよい。
【００５２】
端末光センサ通信制御部１１１は、端末カメラ部１０１及び端末発光部１０２によるイメージセンサ通信を制御する。例えば、端末カメラ部１０１を用いてリモートカメラ２からカメラＩＤに相当する光信号を受信させ、この信号を解析してカメラＩＤを取得する。また、端末発光部１０２を用いてリモートカメラ２に向けて利用要求（図４のステップＳ４０１）を送信させる。この際、まず、ユーザによる操作器１０６に対する利用（撮影）要求を入力する操作を、操作器インタフェース１０５を介して入出力制御部１１３が受け入れる。次いで、端末光センサ通信制御部１１１は、入出力制御部１１３からの利用要求信号に基づいて利用要求の光信号を生成するための信号を作成し、端末発光部１０２に出力することも好ましい。
【００５３】
端末ネットワーク通信制御部１１２は、通信インタフェース１０３を用いた通信を制御する。例えば、受信したカメラＩＤを含むカメラ制御要求（図４のステップＳ４０６）を制御サーバ３宛てに送信させる。また、制御サーバ３から操作情報としての操作用ウェブページ（図４のステップＳ４０９）を受信させる。
【００５４】
端末ネットワーク通信制御部１１２は、さらに、複数のカメラＩＤを受信した際には、端末カメラ部１０１によって受信された機器発光部２０２からの光信号に基づいて、複数のカメラＩＤのうちの少なくとも１つを選択して制御サーバ３宛てに送信させることも好ましい。また、制御サーバ３より受信した現在の画像情報に含まれる端末発光部１０２の発光による情報に基づいて、撮影動作制御情報を生成してもよい。
【００５５】
入出力制御部１１３は、操作器インタフェース１０５を介して入力される操作器１０６からの操作入力を処理し、端末ネットワーク通信制御部１１２及びＡＰ処理部１１４に操作入力情報を出力する。また、端末ネットワーク通信制御部１１２及びＡＰ処理部１１４からの制御情報に基づいて、ディスプレイ１０４の表示を制御する。ＡＰ処理部１１４は、制御サーバ３から送信される操作用ウェブページを表示するブラウザや、リモートカメラ２の操作・制御用のアプリケーションを発動させ、このようなアプリケーションの動作に基づいて、端末光センサ通信制御部１１１、端末ネットワーク通信制御部１１２及び入出力制御部１１３を制御する。
【００５６】
［リモートカメラ２］
同じく図２によれば、リモートカメラ２は、機器受光部である機器カメラ部２０１と、機器発光部２０２と、通信インタフェース２０３と、プロセッサ・メモリとを備えている。ここで、プロセッサ・メモリは、リモートカメラ２に搭載されたコンピュータを機能させるプログラムを実行することによって、その機能を実現させる。
【００５７】
さらに、プロセッサ・メモリは、機能構成部として、機器ネットワーク通信制御部２１１と、機器光センサ通信制御部２１２と、サービス実行制御部としての撮影制御部２１３と、機器識別子管理部２１４とを有する。
【００５８】
機器カメラ部２０１は、リモートカメラ２の主機能である撮影を実行することができ、さらに光信号を受信可能な機器受光部である。機器カメラ部２０１もＣＣＤ又はＣＭＯＳイメージセンサ等の固体撮像素子を備えていることが好ましい。また、機器発光部２０２は、光信号を発信可能な発光部であり、ＬＥＤ等の発光素子を備えている。さらに、通信インタフェース２０３は、アクセスネットワーク及びインターネットを介した制御サーバ３との通信におけるインタフェースである。
【００５９】
機器ネットワーク通信制御部２１１は、通信インタフェース２０３を用いた通信を制御する。例えば、ＨＭＤ１による撮影動作制御情報（図４のステップＳ４１２）を制御サーバ３から受信した際、撮影制御部２１３に当該撮影動作制御情報を出力する。また、ＨＭＤ１から利用要求（図４のステップＳ４０１）を受信した際、制御サーバ３宛てにカメラＩＤの割り当てを要求するための識別子（ＩＤ）要求（図４のステップＳ４０２）を送信させる。また、制御サーバ３から割り当てられたカメラＩＤを受信した際、機器識別子管理部２１４に当該カメラＩＤを出力し管理させる。さらに、撮影した画像のデータを制御サーバ３宛てに送信させる。
【００６０】
機器光センサ通信制御部２１２は、機器カメラ部２０１を用いて光信号を受信した際、この信号を解析し、この信号が利用要求であった場合、機器ネットワーク通信制御部２１１に利用要求を受信した旨を出力する。さらに、当該利用要求の送信元のＨＭＤ１に向けて、保持したカメラＩＤに基づいて光信号用の信号を作成し、当該信号を機器発光部２０２に出力してカメラＩＤを含む光信号を発信させる。カメラＩＤは、機器識別子管理部２１４で保持され管理されており、リモートカメラ２を特定する時間を限定した有効時間付きの識別子とすることも好ましい。
【００６１】
撮影制御部２１３は、受信した利用情報である撮影動作制御情報を使用してＨＭＤ１に係るサービスを実行させる。具体的に、撮影動作制御情報には例えばカメラのズームの度合いや焦点距離の指定値が含まれており、当該撮影動作制御情報に基づいてこれらの撮影条件を設定し、機器カメラ部２０１に対しＨＭＤ１（を装着したユーザ）を含む画像を撮影させる。
【００６２】
［制御サーバ３］
同じく図２によれば、制御サーバ３は、通信インタフェース３０１と、プロセッサ・メモリとを備えている。ここで、プロセッサ・メモリは、制御サーバ３に搭載されたコンピュータを機能させるプログラムを実行することによって、その機能を実現させる。
【００６３】
さらに、プロセッサ・メモリは、機能構成部として、サーバネットワーク通信制御部３１１と、情報機器管理部３１２と、識別子割当部３１３とを有する。
【００６４】
通信インタフェース３０１は、アクセスネットワーク及びインターネットを介したＨＭＤ１及びリモートカメラ２等との通信におけるインタフェースである。
【００６５】
サーバネットワーク通信制御部３１１は、通信インタフェース３０１を用いた通信を制御する。例えば、ＨＭＤ１から受信したカメラＩＤに対応付けられたリモートカメラ２のアドレス宛てに、当該カメラＩＤの送信元のＨＭＤ１による撮影動作制御情報（図４のステップＳ４１２）を送信させる。リモートカメラ２のアドレスは、後述する情報機器管理部３１２でカメラＩＤとともに保存・管理されている。また、受信したカメラＩＤの送信元のＨＭＤ１宛てに、受信したカメラＩＤに対応付けられたリモートカメラ２を操作するための操作情報である操作用ウェブページを送信させる。
【００６６】
サーバネットワーク通信制御部３１１は、さらに、カメラＩＤ要求を受信した際、識別子割当部３１３によって要求元の情報機器に割り当てられたカメラＩＤを、要求元のリモートカメラ２宛てに送信する。また、受信したカメラＩＤの送信元のＨＭＤ１宛てに、受信したカメラＩＤに対応付けられたリモートカメラ２の操作情報としての操作ウェブページを送信させてもよい。さらに、サーバネットワーク通信制御部３１１は、受信したカメラＩＤに対応付けられたリモートカメラ２によって撮影された画像を取得し、受信したカメラＩＤの送信元のＨＭＤ１宛てにこの画像情報を送信させることも好ましい。
【００６７】
識別子割当部３１３は、リモートカメラ２のような情報機器毎にカメラＩＤのような機器識別子を割り当てる。具体的には、例えばリモートカメラ２からカメラＩＤ要求を受信した際、情報機器管理部３１２で管理しているカメラＩＤの中から未使用中のものを選択させて受け取り、サーバネットワーク通信制御部３１１に出力する。
【００６８】
情報機器管理部３１２は、識別子割当部３１３からカメラＩＤの割当要求を入力すると、探し、管理しているカメラＩＤの中から未使用中のものを選択して識別子割当部３１３に出力する。また、要求元のリモートカメラ２と選択したカメラＩＤとをそれぞれ使用中とし、両者を関連付ける。具体的に、情報機器管理部３１２は、リモートカメラ２のアドレスとカメラＩＤとを対応付けた情報機器管理テーブル３１２ｔを保持し管理する。図３は、情報機器管理テーブル３１２ｔの一実施形態を示す表である。
【００６９】
図３（Ａ）に、情報機器管理テーブル３１２ｔにおけるカメラＩＤの管理部分を示す。同管理部分では、制御対象となった（リモート制御モードとなった）リモートカメラ２に対し識別子割当部３１３（図２）によって割り当てられたカメラＩＤである00000010に、使用フラグ「１」が立てられている。また、図３（Ｂ）に、情報機器管理テーブル３１２ｔにおけるカメラアドレスの管理部分を示す。同管理部分では、制御対象となったリモートカメラ２のＩＰ（Internet Protocol）アドレスである192.26.***.102に、使用フラグ「１」が立てられている。
【００７０】
さらに、図３（Ｃ）に、情報機器管理テーブル３１２ｔにおけるカメラＩＤとカメラアドレスとの対応付け部分を示す。同対応付け部分では、制御対象となったリモートカメラ２に割り当てられたカメラＩＤである00000010に、当該リモートカメラ２のＩＰアドレスである192.26.***.102が対応付けられている。
【００７１】
以上、図３（Ａ）〜（Ｃ）に示したようにリモート制御モードとなったリモートカメラ２を管理することによって、リモートカメラ２がリモート制御対象となる毎に、随時新たなカメラＩＤを当該リモートカメラ２に付与し、当該カメラＩＤをもって当該リモートカメラ２（のカメラアドレス）を特定することができる。即ち、リモートカメラ２（のカメラアドレス）とカメラＩＤとの関係を固定せずに、必要となるときだけ適宜設定することができる。これにより、一度カメラＩＤを取得したユーザがリモートカメラ２を常に操作可能になる事態を回避することができる。また、カメラＩＤを予め不正に入手してリモートカメラ２を悪意で使用する行為を阻止することができる。
【００７２】
［情報機器利用方法：リモートカメラ２］
図４は、本発明による情報機器利用方法の一実施形態を示すシーケンス図である。
【００７３】
ここで、当初、ＨＭＤ１を装着したユーザは、通常は監視カメラモードとして周囲の状況の撮影を行っているリモートカメラ２における撮影可能範囲に入って、リモートカメラ２を視認する。次いで、リモートカメラ２によるＨＭＤ１（を装着したユーザ）自体の撮影を要求するため、ＨＭＤ１を操作して以下のステップに入るとする。
【００７４】
（Ｓ４０１）ＨＭＤ１は、イメージセンサ通信によってリモートカメラ２の利用要求を発信する。
（Ｓ４０２）リモートカメラ２は、ＨＭＤ１からの利用要求を受信した際、制御サーバ３宛てに、自らを特定するカメラＩＤを要求するＩＤ要求を送信する。尚、リモートカメラ２は、この段階で、占有制御が可能なリモート制御モードに入る。
【００７５】
また、リモートカメラ２からみて、複数のＨＭＤ１が同時期に利用要求を発信する場合に対処するため、イメージセンサ通信の際にセッションＩＤを付加し、利用可能なＨＭＤ１を限定することも好ましい。この場合、予め制御サーバ３によってＨＭＤ１及びリモートカメラ２にセッションＩＤが発行され、通信の際には双方が必ずセッションＩＤを含めて信号を送受信することになる。
【００７６】
（Ｓ４０３）ＩＤ要求を受信した制御サーバ３は、未使用中のカメラＩＤを選択して要求元のリモートカメラ２に割り当てる。
（Ｓ４０４）制御サーバ３は、リモートカメラ２宛てに、割り当てたカメラＩＤを含むＩＤ要求応答を送信する。
（Ｓ４０５）リモートカメラ２は、イメージセンサ通信によって利用要求元のＨＭＤ１に向けて、割り当てられたカメラＩＤを含む利用要求応答を発信する。
【００７７】
（Ｓ４０６）ＨＭＤ１は、カメラＩＤを受信し、次いで制御サーバ３宛てに、カメラＩＤによって制御対象のリモートカメラ２を指定したカメラ制御要求を送信する。ここで、ＨＭＤ１が複数のカメラＩＤを受信した場合、光の強度や方角から最も適切なリモートカメラ２を自動で選択したり、あるいはディスプレイ１０４に光信号の発信源を表示してユーザに選択させたりすることも好ましい。
【００７８】
また、このステップＳ４０６でカメラＩＤを通知する先の制御サーバ３のＵＲＬは、何れのリモートカメラ２を操作するときでも共通窓口となるウェブサイトのＵＲＬとする。これにより、ＨＭＤ１（のユーザ）は一つのＵＲＬを保持していれば、何れのリモートカメラ２をも操作・制御することが可能となる。
【００７９】
（Ｓ４０７）制御サーバ３は、ＨＭＤ１によって指定されたリモートカメラ２宛てに、操作制御を受けることができるか否かの操作可否確認を送信する。
（Ｓ４０８）リモートカメラ２は、制御サーバ３宛てに、操作可否確認に対する応答である操作可否応答を送信する。ここでは、操作が可能である旨の応答であるとする。尚、制御サーバ３が操作不可との応答を受信した際には、制御要求元のＨＭＤ１宛てに、リモートカメラ２は現在操作ができない旨の応答を行う。
【００８０】
（Ｓ４０９）制御サーバ３は、ＨＭＤ１宛てに、カメラ制御要求の応答としての操作用ウェブページを送信する。
（Ｓ４１０）ＨＭＤ１は、受信した操作用ウェブページをブラウザを用いて表示し、ユーザによるリモートカメラ２の制御・撮影に係る入力操作を受け付ける。
（Ｓ４１１）ＨＭＤ１は、制御サーバ３宛てに、受け付けた入力操作に基づいて生成された、リモートカメラ２の利用情報である撮影動作制御情報を送信する。
【００８１】
（Ｓ４１２）制御サーバ３は、リモートカメラ２宛てに、受信した撮影動作制御情報を送信する。
（Ｓ４１３）リモートカメラ２は、受信した撮影動作制御情報に基づいて、撮影条件（例えばズーム、焦点距離等）を設定し、撮影を行う。
【００８２】
（Ｓ４１４）リモートカメラ２は、制御サーバ３宛てに、撮影した撮影画像（静止画像及び／又は動画像）を送信する。
（Ｓ４１５）制御サーバ３は、ＨＭＤ１宛てに、受信した撮影画像を送信する。これにより、ＨＭＤ１は、利用要求した先のリモートカメラ２による撮影画像を取得することができる。
【００８３】
このように本情報機器利用方法では、ＨＭＤ１が、直接リモートカメラ２の操作画面を表示して操作することなく、制御サーバ３を介して操作・制御することによって、ユーザがリモートカメラ２の操作画面のアドレスを直接入手してしまうことを防止する。尚、ＨＭＤ１やリモートカメラ２からの情報がサーバへ伝達される際、情報に欠陥が生じた場合には、制御サーバ３側から再度情報を伝達するようにＨＭＤ１やリモートカメラ２へ再送指示を出すことも好ましい。次に、本情報機器利用方法の終了フローを説明する。
【００８４】
（Ｓ４２１）ＨＭＤ１は、制御サーバ３宛てに、リモートカメラ２のカメラＩＤを含む終了要求を送信する。この終了要求は、ＨＭＤ１に対するユーザの入力操作に応じて生成されてもよい。あるいは撮影画像を受信して所定時間経過後、自動的に送信されてもよい。
（Ｓ４２２）制御サーバ３は、受信したカメラＩＤを割り当てたリモートカメラ２宛てに、ＨＭＤ１から受信した終了要求に基づいて終了要求を送信する。
（Ｓ４２３）リモートカメラ２は、終了要求を受けてＨＭＤ１の利用要求に係る撮影動作を終了してリモート制御モードを解除し、制御サーバ３宛てに、終了した旨の終了要求応答を送信する。尚、リモートカメラ２は、ここで、取得したカメラＩＤを破棄することも好ましい。
【００８５】
（Ｓ４２４）制御サーバ３は、リモートカメラ２から終了要求応答を受信したことに基づいて、リモートカメラ２に係るカメラＩＤを解放する。具体的には、対応するカメラＩＤの使用フラグ（図３（Ａ））及び対応するカメラアドレスの使用フラグ（図３（Ｂ））をゼロ（未使用中）にし、これらカメラＩＤとカメラアドレスとの対応関係（図３（Ｃ））を解消する。
（Ｓ４２５）制御サーバ３は、終了要求元のＨＭＤ１宛てに、終了要求への応答としての終了要求応答を送信する。以上、ＨＭＤ１によるリモートカメラ２の利用プロセスが終了する。
【００８６】
尚、本情報機器利用方法において、上述したステップＳ４０２〜Ｓ４０４は省略することができる。この場合、リモートカメラ２は、ＨＭＤ１から利用要求（ステップＳ４０１）を受けた際、自ら保持する複数のカメラＩＤの中から１つを選択して、このカメラＩＤを利用要求応答としてＨＭＤ１に通知してもよい。ここで、制御サーバ３は、リモートカメラ２が保持する複数のカメラＩＤを予め把握しており、この範囲内のカメラＩＤを受信した際、ＨＭＤ１の制御希望対象がこのリモートカメラ２であることを特定することができる。
【００８７】
［情報機器利用方法：デジタルサイネージ２’］
図５は、本発明による情報機器利用方法の他の実施形態を示すシーケンス図である。
【００８８】
図５の実施形態によれば、本発明の情報機器として１つ又は複数のデジタルサイネージ２’が、制御サーバ３と通信可能なようにして公共空間に設置されている。デジタルサイネージ２’は、リモートカメラ２（図２）と同様に、機器受光部である機器カメラ部２０１’と、赤外線や可視光を発光可能な機器発光部２０２’と、通信インタフェース２０３’を備えている。これらの構成部の機能はリモートカメラ２（図２）の対応する構成部と同様である。
【００８９】
デジタルサイネージ２’は、また、サイネージ・ディスプレイ２０４’を備えている。サイネージ・ディスプレイ２０４’は、通信インタフェース２０３′を介して受信した広告・公報情報、コンテンツ、掲示板情報等を表示する。デジタルサイネージ２’は、さらに、プロセッサ・メモリの機能構成部として、機器ネットワーク通信制御部２１１’と、機器光センサ通信制御部２１２’と、機器識別子管理部２１４’とを有する。これらの機能構成部の機能はリモートカメラ２（図２）の対応する機能構成部と同様である。
【００９０】
デジタルサイネージ２’は、また、機能構成部として表示制御部２１３’を有している。表示制御部２１３’は、受信した利用情報であるメッセージ情報や画像情報を使用して、ＨＭＤ１に係るサービスを実行させる。具体的には、これらのメッセージ情報や画像情報を格納し、所定のタイミングでサイネージ・ディスプレイ２０４’に表示させる。
【００９１】
ここで、ＨＭＤ１を装着したユーザは観光地を移動しており、この観光地に設置されたデジタルサイネージ２’は、その地域の観光案内を目的に様々な情報を発信しているとする。ユーザは、設置されたデジタルサイネージ２’に、実際に訪れた観光スポットの足あと帳として撮影した画像や自ら作成したメッセージを提供し表示させたいとの意図を有しており、移動中、デジタルサイネージ２’の広告視認可能範囲に入るものとする。
【００９２】
（Ｓ５０１）デジタルサイネージ２’は、イメージセンサ通信によって、自らを特定するサイネージＩＤを含む報知信号を常時又は定期的に発信する。尚、このサイネージＩＤは一定時間毎に更新されることも好ましい。
（Ｓ５０２）サイネージＩＤを受信したＨＭＤ１は、制御サーバ３宛てに、投稿希望先のデジタルサイネージ２’の
サイネージＩＤを含むサイネージ操作要求を送信する。
【００９３】
（Ｓ５０３）制御サーバ３は、指定されたデジタルサイネージ２’宛てに、サイネージ操作要求を受けることができるか否かの操作可否確認を送信する。
（Ｓ５０４）デジタルサイネージ２’は、制御サーバ３宛てに、操作可否確認に対する応答である操作可否応答を送信する。ここでは、操作が可能である旨の応答であるとする。尚、制御サーバ３が操作不可との応答を受信した際には、制御要求元のＨＭＤ１宛てに、デジタルサイネージ２’は現在操作ができない旨の応答を行う。
【００９４】
（Ｓ５０５）制御サーバ３は、ＨＭＤ１宛てに、サイネージ操作要求の応答としての操作用ウェブページを送信する。
（Ｓ５０６）ＨＭＤ１は、受信した操作用ウェブページをブラウザを用いて表示し、ユーザのデジタルサイネージ２’の操作・制御に係る入力操作を受け付ける。具体的には、デジタルサイネージ２’に表示させるメッセージや画像のファイルを指定し入力する操作を受け付ける。
【００９５】
（Ｓ５０７）ＨＭＤ１は、制御サーバ３宛てに、受け付けた入力操作に基づいて生成された、デジタルサイネージ２’の利用情報である表示させたいメッセージ情報を送信する。
（Ｓ５０８）制御サーバ３は、デジタルサイネージ２’宛てに、受信したメッセージを送信する。
（Ｓ５０９）デジタルサイネージ２’は受信したメッセージを格納する。
【００９６】
（Ｓ５１０）ＨＭＤ１は、制御サーバ３宛てに、受け付けた入力操作に基づいて生成された、デジタルサイネージ２’の利用情報である表示させたい画像情報を送信する。
（Ｓ５１１）制御サーバ３は、デジタルサイネージ２’宛てに、受信した画像情報を送信する。
（Ｓ５１２）デジタルサイネージ２’は受信した画像を格納する。
（Ｓ５１３）デジタルサイネージ２’は、格納したメッセージ及び画像を、独自の制御プログラムに従うタイミングで表示する。これにより、ＨＭＤ１は、操作要求した先のデジタルサイネージ２’に所望のメッセージや画像を表示させることができる。
【００９７】
以上説明したように、ＨＭＤ１（を装着したユーザ）は、デジタルサイネージ２’へ直接にメッセージを書き込む操作を行ったり、デジタルサイネージ２へ直接に画像を送信するための情報を表示したりしない。このことは２つの利点を有する。１つ目は、デジタルサイネージ２’のディスプレイに投影される情報の公共性が保たれる点である。即ち、デジタルサイネージ２’の情報発信を個人が専有しないことを担保することができる。
【００９８】
２つ目は、デジタルサイネージ２’のディスプレイ画面全体を使った情報発信が保たれる点である。例えば送信先の情報(メッセージ送信先メールアドレスやＵＲＬ等)を常に画面の端に表示しておくことも可能ではある。しかしながら、これではディスプレイ画面全体を使ったサイネージ広告などのコンテンツが利用できない。即ち、デジタルサイネージ２’としての機能発揮を阻害しないためにも本方法が有効となる。次に、本情報機器利用方法の終了フローを説明する。
【００９９】
（Ｓ５２１）ＨＭＤ１は、制御サーバ３宛てに、デジタルサイネージ２’のサイネージＩＤを含む終了要求を送信する。この終了要求は、ＨＭＤ１に対するユーザの入力操作に応じて生成されてもよい。あるいは最後に画像情報を送信して所定時間経過後、自動的に送信されてもよい。
（Ｓ５２２）制御サーバ３は、受信したサイネージＩＤを割り当てたデジタルサイネージ２’宛てに、ＨＭＤ１から受信した終了要求に基づいて終了要求を送信し、デジタルサイネージ２’のＨＭＤ１に係る表示動作を終了させる。
【０１００】
（Ｓ５２３）制御サーバ３は、さらに、デジタルサイネージ２’へのサイネージＩＤの割当を更新し、デジタルサイネージ２’宛てに、更新した新たなサイネージＩＤへの更新を指示するサイネージＩＤ更新指示を送信する。
（Ｓ５２４）デジタルサイネージ２’は、管理する自らのサイネージＩＤを、受信した新たなサイネージＩＤに更新する。デジタルサイネージ２’は、この後、イメージセンサ通信によって、更新したサイネージＩＤを含む報知信号を発信することになる。以上、ＨＭＤ１によるデジタルサイネージ２’の利用プロセスが終了する。
【０１０１】
以上詳細に説明したように、本発明によれば、携帯端末と情報機器とは互いを認識し合う信号等のみをイメージセンサ通信でやり取りし、情報機器によるサービス提供に直接関係する情報についてはサーバを介して十分な通信速度でやり取りする。その結果、設置された情報機器の構造を大幅に改変することなく、携帯端末を用いて当該情報機器を簡易な方法で操作・制御することが可能となるのである。
【０１０２】
特に、本発明は、公共空間に多数設置された公共サービス提供用の情報機器を、ユーザが安全に且つ適切に利用することをも可能にする。即ち、公共情報機器をユーザによって安全に且つ適切に一時占拠させることを可能にするのである。
【０１０３】
以上に述べた本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【０１０４】
１  ＨＭＤ（携帯端末）
１０１  端末カメラ部（端末受光部）
１０２  端末発光部
１０３  通信インタフェース
１０４  ディスプレイ１０４
１０５  操作器インタフェース
１０６  操作器
１１１  端末光センサ通信制御部
１１２  端末ネットワーク通信制御部
１１３  入出力制御部
１１４  アプリケーション処理部
２  リモートカメラ（情報機器）
２’  デジタルサイネージ
２０１、２０１’  機器カメラ部（機器受光部）
２０２、２０２’  機器発光部
２０３、２０３’  通信インタフェース
２０４’  サイネージ・ディスプレイ
２１１、２１１’  機器ネットワーク通信制御部
２１２、２１２’  機器光センサ通信制御部
２１３  撮影制御部（サービス実行制御部）
２１３’  表示制御部
２１４、２１４’  機器識別子管理部
３  制御サーバ
３０１  通信インタフェース
３１１  サーバネットワーク通信制御部
３１２  情報機器管理部
３１３  識別子割当部
【図１】
2015065566.tif 000003
【図２】
2015065566.tif 000004
【図３】
2015065566.tif 000005
【図４】
2015065566.tif 000006
【図５】
2015065566.tif 000007